(57)【特許請求の範囲】
【請求項１】
外部からの物体の接触を検出し、この検出した位置に応じた位置信号の入力を受け付けるタッチパネルを備えた携帯機器と双方向に無線通信を行って画像データを含むコンテンツデータを送信する通信機器であって、
前記携帯機器の識別情報および該識別情報に対応するパスワードを含むタッチ情報であって、前記携帯機器と無線通信を確立するために前記携帯機器の前記タッチパネル上で描写されるべきタッチパターンに関するタッチ情報を含む設定情報を設定する設定部と、
前記コンテンツデータを前記携帯機器に送信可能であるとともに、前記携帯機器から前記タッチ情報を受信する送受信部と、
前記送受信部が受信した前記タッチ情報と前記設定部が設定した前記タッチ情報とが一致する場合、前記携帯機器と当該通信機器との間で無線通信を確立して前記コンテンツデータの前記携帯機器への送信を前記送受信部に実行させる送信制御部と、
を備えることを特徴とする通信機器。
【請求項２】
前記設定部が設定した前記タッチ情報と前記送受信部が受信した前記タッチ情報とが所定の範囲内で一致するか否かを判定するパターン判定部をさらに備え、
前記送信制御部は、前記パターン判定部が前記設定部によって設定された前記タッチ情報と前記送受信部によって受信された前記タッチ情報とが所定の範囲内で一致すると判定した場合、前記コンテンツデータの前記携帯機器への送信を前記送受信部に実行させることを特徴とする請求項１に記載の通信機器。
【請求項３】
前記設定部が設定した前記タッチ情報に対応する文字と前記送受信部が受信した前記タッチ情報に対応する文字とが一致するか否かを判定する文字判定部をさらに備え、
前記送受信部は、前記文字判定部が前記設定部によって設定された前記タッチ情報に対応する文字と前記送受信部が受信した前記タッチ情報に対応する文字とが一致すると判定した場合、前記コンテンツデータの前記携帯機器への送信を前記送受信部に実行させることを特徴とする請求項１に記載の通信機器。
【請求項４】
前記画像データに対応する画像を表示する表示部と、
前記表示部に重畳して設けられ、外部からの物体の接触を検出し、この検出した位置に応じた位置信号の入力を受け付ける第２のタッチパネルと、
前記第２のタッチパネルから入力された前記位置信号に基づいて、前記第２のタッチパネル上で行われたタッチ操作の軌跡を前記表示部に表示させる表示制御部と、
をさらに備えたことを特徴とする請求項１〜３のいずれか一つに記載の通信機器。
【請求項５】
前記設定部は、前記第２のタッチパネルで描写されたタッチパターンを前記タッチ情報として設定することを特徴とする請求項４に記載の通信機器。
【請求項６】
外部からの物体の接触を検出し、この検出した位置に応じた位置信号の入力を受け付けるタッチパネルを備えた携帯機器と双方向に無線通信を行って画像データを含むコンテンツデータを送信する通信機器が実行する通信方法であって、
前記携帯機器の識別情報および該識別情報に対応するパスワードを含むタッチ情報であって、前記携帯機器と無線通信を確立するために前記携帯機器の前記タッチパネル上で描写されるべきタッチパターンに関するタッチ情報を含む設定情報を設定する設定ステップと、
前記携帯機器から前記タッチ情報を受信する受信ステップと、
前記受信ステップで受信した前記タッチ情報と前記設定ステップで設定した前記タッチ情報とが一致する場合、前記携帯機器と当該通信機器との間で無線通信を確立して前記コンテンツデータを前記携帯機器へ送信する送信制御ステップと、
を含むことを特徴とする通信方法。
【請求項７】
外部からの物体の接触を検出し、この検出した位置に応じた位置信号の入力を受け付けるタッチパネルを備えた携帯機器と双方向に無線通信を行って画像データを含むコンテンツデータを送信する通信機器に実行させるプログラムであって、
前記携帯機器の識別情報および該識別情報に対応するパスワードを含むタッチ情報であって、前記携帯機器と無線通信を確立するために前記携帯機器の前記タッチパネル上で描写されるべきタッチパターンに関するタッチ情報を含む設定情報を設定する設定ステップと、
前記携帯機器から前記タッチ情報を受信する受信ステップと、
前記受信ステップで受信した前記タッチ情報と前記設定ステップで設定した前記タッチ情報とが一致する場合、前記携帯機器と当該通信機器との間で無線通信を確立して前記コンテンツデータを前記携帯機器へ送信する送信制御ステップと、
を含むことを特徴とするプログラム。
【発明の詳細な説明】
【技術分野】
【０００１】
本発明は、画像データを含むコンテンツデータを所定の無線通信規格に従って他の電子機器に送信する通信機器、該通信機器による通信方法およびプログラムに関する。
【背景技術】
【０００２】
従来から、カメラ付きの携帯電話等で撮像した画像データを含むコンテンツデータを、所定の無線通信規格に従って他の機器やパソコン等の外部機器に送信する技術が知られている（たとえば、特許文献１を参照）。この技術では、無線通信するために必要なデバイスアドレス情報を送信対象の機器のディスプレイ上にバーコードで表示させ、このバーコードを送信側の携帯電話が有するカメラで撮像してバーコードからデバイスアドレス情報を取得することにより、無線通信のための設定を自動的に行うことができる。
【先行技術文献】
【特許文献】
【０００３】
【特許文献１】特許第４１７４２０８号公報
【発明の概要】
【発明が解決しようとする課題】
【０００４】
しかしながら、上述した従来技術では、機器がバーコードを表示している間に、このバーコードが他の外部機器によって撮像されたとき、この外部機器との間で無線通信が確立することで、コンテンツデータが送信されてしまう場合があった、このため、無線通信でコンテンツデータを送信する場合、簡易な操作で無線通信を設定することができるとともに、セキュリティーに優れた無線通信を行うことができる技術が求められていた。
【０００５】
本発明は、上記に鑑みてなされたものであって、簡易な操作で他の外部機器と双方向に無線通信を設定することができるとともに、セキュリティーに優れた無線通信を行うことができる通信機器、通信方法およびプログラムを提供することを目的とする。
【課題を解決するための手段】
【０００６】
上述した課題を解決し、目的を達成するために、本発明にかかる通信機器は、外部からの物体の接触を検出し、この検出した位置に応じた位置信号の入力を受け付けるタッチパネルを備えた携帯機器と双方向に無線通信を行って画像データを含むコンテンツデータを送信する通信機器であって、前記携帯機器の識別情報、該識別情報に対応するパスワードおよび前記携帯機器と無線通信を確立するために前記携帯機器の前記タッチパネル上で描写されるべきタッチパターンに関するタッチ情報を含む設定情報を設定する設定部と、前記コンテンツデータを前記携帯機器に送信可能であるとともに、前記携帯機器から前記タッチ情報を受信する送受信部と、前記送受信部が受信した前記タッチ情報と前記設定部が設定した前記タッチとが一致する場合、前記携帯機器と当該通信機器との間で無線通信を確立して前記コンテンツデータの前記携帯機器への送信を前記送受信部に実行させる送信制御部と、を備えたことを特徴とする。
【０００７】
また、本発明にかかる通信機器は、上記発明において、前記設定部が設定した前記タッチ情報と前記送受信部が受信した前記タッチ情報とが所定の範囲内で一致するか否かを判定するパターン判定部をさらに備え、前記送信制御部は、前記パターン判定部が前記設定部によって設定された前記タッチ情報と前記送受信部によって受信された前記タッチ情報とが所定の範囲内で一致すると判定した場合、前記コンテンツデータの前記携帯機器への送信を前記送受信部に実行させることを特徴とする。
【０００８】
また、本発明にかかる通信機器は、上記発明において、前記設定部が設定した前記タッチ情報に対応する文字と前記送受信部が受信した前記タッチ情報に対応する文字とが一致するか否かを判定する文字判定部をさらに備え、前記送受信部は、前記文字判定部が前記設定部によって設定された前記タッチ情報に対応する文字と前記送受信部が受信した前記タッチ情報に対応する文字とが一致すると判定した場合、前記コンテンツデータの前記携帯機器への送信を前記送受信部に実行させることを特徴とする。
【０００９】
また、本発明にかかる通信機器は、上記発明において、前記画像データに対応する画像を表示する表示部と、前記表示部に重畳して設けられ、外部からの物体の接触を検出し、この検出した位置に応じた位置信号の入力を受け付ける第２のタッチパネルと、前記第２のタッチパネルから入力された前記位置信号に基づいて、前記第２のタッチパネル上で行われたタッチ操作の軌跡を前記表示部に表示させる表示制御部と、をさらに備えたことを特徴とする。
【００１０】
また、本発明にかかる通信機器は、上記発明において、前記設定部は、前記第２のタッチパネルで描写されたタッチパターンを前記タッチ情報として設定することを特徴とする。
【００１１】
また、本発明にかかる通信機器は、上記発明において、前記設定部は、前記送受信部が前記携帯機器と当該通信機器との間で無線通信を確立して前記コンテンツデータの前記携帯機器への送信を前記送受信部に実行させた後、前記タッチ情報を削除することを特徴とする。
【００１２】
また、本発明にかかる通信方法は、外部からの物体の接触を検出し、この検出した位置に応じた位置信号の入力を受け付けるタッチパネルを備えた携帯機器と双方向に無線通信を行って画像データを含むコンテンツデータを送信する通信機器が実行する通信方法であって、前記携帯機器の識別情報、該識別情報に対応するパスワードおよび前記携帯機器と無線通信を確立するために前記携帯機器の前記タッチパネル上で描写されるべきタッチパターンに関するタッチ情報を含む設定情報を設定する設定ステップと、前記携帯機器から前記タッチ情報を受信する受信ステップと、前記受信ステップで受信した前記タッチ情報と前記設定ステップで設定した前記タッチとが一致する場合、前記携帯機器と当該通信機器との間で無線通信を確立して前記コンテンツデータを前記携帯機器へ送信する送信制御ステップと、を含むことを特徴とする。
【００１３】
また、本発明にかかるプログラムは、外部からの物体の接触を検出し、この検出した位置に応じた位置信号の入力を受け付けるタッチパネルを備えた携帯機器と双方向に無線通信を行って画像データを含むコンテンツデータを送信する通信機器に実行させるプログラムであって、前記携帯機器の識別情報、該識別情報に対応するパスワードおよび前記携帯機器と無線通信を確立するために前記携帯機器の前記タッチパネル上で描写されるべきタッチパターンに関するタッチ情報を含む設定情報を設定する設定ステップと、前記携帯機器から前記タッチ情報を受信する受信ステップと、前記受信ステップで受信した前記タッチ情報と前記設定ステップで設定した前記タッチとが一致する場合、前記携帯機器と当該通信機器との間で無線通信を確立して前記コンテンツデータを前記携帯機器へ送信する送信制御ステップと、を含むことを特徴とする。
【発明の効果】
【００１４】
本発明によれば、送信制御部が送受信部によって受信されたタッチ情報と設定部が設定したタッチ情報とが一致する場合、携帯機器と通信機器との間で無線通信を確立してコンテンツデータの携帯機器への送信を送受信部に実行させる。これにより、セキュリティーに優れるとともに、簡易な操作で他の外部機器と双方向に無線通信を行うことができるという効果を奏する。
【図面の簡単な説明】
【００１５】
【図１】図１は、本発明の実施の形態１にかかる通信機器および携帯機器の構成を示すブロック図である。
【図２】図２は、本発明の実施の形態１にかかる通信機器および携帯機器が実行する通信処理の概要を説明する図である。
【図３】図３は、図２の状況を模式的に説明する図である。
【図４】図４は、本発明の実施の形態１にかかる通信機器と携帯機器とが無線通信の確立を行う際の状況を説明する図である。
【図５】図５は、本発明の実施の形態１にかかる通信機器の信号化部がユーザによるタッチパネルの軌跡を数値に変換する方法の概要を説明する図である。
【図６】図６は、本発明の実施の形態１にかかる通信機器が実行する処理の概要を示すフローチャートである。
【図７】図７は、本発明の実施の形態２にかかる通信機器および携帯機器が実行する通信処理の概要を説明する図である。
【図８】図８は、図７の状況を模式的に説明する図である。
【図９】図９は、本発明の実施の形態２にかかる通信機器が実行する処理の概要を示すフローチャートである。
【図１０】図１０は、本発明の実施の形態３にかかる通信機器および携帯機器の構成を示すブロック図である。
【図１１】図１１は、本発明の実施の形態３にかかる通信機器が実行する処理の概要を示すフローチャートである。
【図１２】図１２は、本発明の実施の形態４にかかる通信機器および携帯機器の構成を示すブロック図である。
【図１３】図１３は、本発明の実施の形態４にかかる通信機器および携帯機器が実行する通信処理の概要を説明する図である。
【図１４】図１４は、図１３の状況を模式的に説明する図である。
【図１５】図１５は、本発明の実施の形態４にかかる通信機器が実行する処理の概要を示すフローチャートである。
【図１６】図１６は、本発明の実施の形態４にかかる通信機器のタッチ位置判定部がタッチ位置を判定する際の通信機器の状況を模式的に示す図である。
【図１７】図１７は、本発明の実施の形態４にかかる通信機器のタッチ位置判定部が判定したタッチ位置のデータと時間との関係を示す図である。
【発明を実施するための形態】
【００１６】
以下に、図面を参照して、本発明を実施するための形態（以下、「実施の形態」という）について説明する。なお、この実施の形態によって本発明が限定されるものではない。また、図面の記載において、同一の部分には同一の符号を付して説明する。
【００１７】
（実施の形態１）
図１は、本発明の実施の形態１にかかる通信機器および携帯機器の構成を示すブロック図である。図１に示す通信機器１および携帯機器２は、所定の無線通信規格に従って画像データおよび音声データ等を含むコンテンツデータを双方向に通信可能である。ここで、所定の無線通信規格は、ＩＥＥＥ８０２．１１ｂ、ＩＥＥＥ８０２．１１ｎ、Ｂｌｕｅｔｏｏｔｈ（登録商標）および赤外線通信規格等である。なお、本実施の形態１では、いずれの無線通信規格であっても適用可能である。
【００１８】
まず、通信機器１について説明する。通信機器１は、所定の視野領域を撮像して画像データを生成するデジタルカメラ等の撮像装置を用いて構成される。通信機器１は、撮像部１１と、入力部１２と、表示部１３と、タッチパネル１４と、記録部１５と、送受信部１６と、音声入出力部１７と、通信機器制御部１８と、を備える。
【００１９】
撮像部１１は、一または複数のレンズによって構成され、所定の視野領域からの光を集光する光学系と、光学系が集光した光の入射量を調整する絞りと、レリーズ信号の入力に応じて動作するシャッタと、絞りおよびシャッタを透過した光を受光して電気信号に変換するＣＣＤ（Charge  Coupled  Device）またはＣＭＯＳ（Complementary  Metal  Oxide  Semiconductor）の撮像素子と、撮像素子から出力されるアナログ信号に対してノイズ低減処理やゲインアップ処理等のアナログ処理を施してＡ／Ｄ変換を行って通信機器制御部１８に出力する信号処理部と、を有する。
【００２０】
入力部１２は、通信機器１の電源オンや電源オフの指示信号の入力を受け付ける電源スイッチと、通信機器１に撮影を指示するレリーズ信号の入力を受け付けるレリーズスイッチと、通信機器の各種モードの切り替えを指示する切替信号の入力を受け付ける切替スイッチと、通信機器１の各種パラメータの設定を切り替える操作信号の入力を受け付ける操作スイッチと、を有する。
【００２１】
表示部１３は、液晶または有機ＥＬ（Electro  Luminescence）等からなる表示パネルを用いて構成される。表示部１３は、記録部１５に記録された画像データに対応する画像を表示する。ここで、画像の表示には、撮影直後の画像データを所定時間（たとえば３秒間）だけ表示するレックビュー表示、記録部１５に記録された画像データを再生する再生表示、および撮像部１１が連続的に生成する画像データに対応するライブビュー画像を時系列に沿って順次表示するライブビュー画像表示等が含まれる。また、表示部１３は、通信機器１の操作情報および撮影に関する情報、たとえば露出値や絞り値等を適宜表示する。
【００２２】
タッチパネル１４は、表示部１３の表示画面上に設けられる。タッチパネル１４は、外部からの物体のタッチを検出し、この検出したタッチ位置に応じた位置信号を通信機器制御部１８に出力する。一般に、タッチパネル１４としては、抵抗膜方式、静電容量方式および光学方式等がある。本実施の形態１では、いずれの方式のタッチパネルであっても適用可能である。
【００２３】
記録部１５は、ＦｌａｓｈメモリやＤＲＡＭ（Dynamic  Random  Access  Memory）等の半導体メモリを用いて構成される。記録部１５は、通信機器１を動作させるための各種プログラムおよびプログラムの実行中に使用される各種データやパラメータ等を記録する。記録部１５は、携帯機器２のタッチパネル上におけるタッチ操作に応じて携帯機器２と無線通信を確立するための通信機器１の識別情報（機器ＩＤやＭＡＣアドレス）、この識別情報に対応するパスワードを含む設定情報を記録する設定情報記録部１５１と、撮像部１１が生成した画像データや音声データを含むコンテンツデータを記録するコンテンツ情報記録部１５２と、タッチパネル１４から入力される位置信号を所定の数値に変換する際に用いられる信号化情報を記録する信号化情報記録部１５３と、を有する。なお、記録部１５に対し、通信機器１の外部から装着されるメモリカード等の記録媒体に対して情報を記録する一方、記録媒体が記録する情報を読み出す記録媒体インターフェースとしての機能を具備させてもよい。
【００２４】
送受信部１６は、所定の無線通信規格に従って、携帯機器２と無線通信を行ってコンテンツデータを携帯機器２に送信可能であるとともに、携帯機器２のタッチパネル上で描写されたタッチパターンに関するタッチ情報を受信する。送受信部１６は、携帯機器２と無線通信を行ってコンテンツデータや各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。送受信部１６は、通信機器１の起動時において、その存在を報知する識別情報（機器ＩＤ）を含む通信信号を定期的に送信するとともに、携帯機器２または他の機器から送信された通信信号を受信して停止状態または待機状態から復帰し、携帯機器２または他の機器との間で通信を確立する。なお、送受信部１６は、通信機器１の外部から装着されるメモリカード等の記録媒体に設けられてもよい。
【００２５】
音声入出力部１７は、マイクおよびスピーカ等を用いて構成される。音声入出力部１７は、音声データの取得を行って通信機器制御部１８に出力する。音声入出力部１７は、記録部１５に記録されたコンテンツデータの音声データを再生して出力する。
【００２６】
通信機器制御部１８は、ＣＰＵ（Central  Processing  Unit）等を用いて構成される。通信機器制御部１８は、入力部１２やタッチパネル１４からの指示信号、切替信号等に応じて通信機器１を構成する各部に対応する指示やデータの転送等を行って通信機器１の動作を統括的に制御する。通信機器制御部１８は、携帯機器２の識別情報、この識別情報に対応するパスワードおよび携帯機器２と無線通信を確立するために携帯機器２のタッチパネル上で描写されるべきタッチパターンに関するタッチ情報を含む設定情報を設定し、このタッチ情報と携帯機器２から受信したタッチ情報とを比較して一致する場合、携帯機器２と通信機器１との間で無線通信を確立してコンテンツデータを携帯機器２へ送信する。
【００２７】
通信機器制御部１８の詳細な構成について説明する。通信機器制御部１８は、画像処理部１８１と、信号化部１８２と、設定部１８３と、パターン判定部１８４と、送信制御部１８５と、表示制御部１８６と、を有する。
【００２８】
画像処理部１８１は、画像エンジン（画像コントローラ）を用いて構成され、撮像部１１から入力される画像データに対して各種の画像処理を施して記録部１５または表示部１３に出力する。画像処理部１８１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部１８１は、ＪＰＥＧ（Joint  Photographic  Experts  Group）方式に従って画像データを圧縮し、圧縮した画像データを記録部１５に記録させてもよい。
【００２９】
信号化部１８２は、信号化情報記録部１５３が記録する信号化情報を参照して、タッチパネル１４から連続的に入力される位置信号を数値に変換する。具体的には、信号化部１８２は、ユーザによるタッチパネル１４のタッチパターンやおよび軌跡を数値（データ）に変換する。
【００３０】
設定部１８３は、携帯機器２のタッチパネル上で描写されるべきタッチパターンに関するタッチ情報を含む設定情報を設定する。具体的には、設定部１８３は、信号化部１８２がユーザによるタッチパネル１４の軌跡を変換した数値を携帯機器２と無線通信を確立するための通信機器１のパスワードとなるタッチ情報を設定情報として設定する。設定部１８３は、タッチ情報を設定情報記録部１５１に記録する。ここで、タッチパターンには、ユーザによるタッチパネル１４上のスライド操作のタッチパターン、ピンチ操作のタッチパターンおよびタッチ操作のタッチパターンが含まれる。
【００３１】
パターン判定部１８４は、送受信部１６を介して携帯機器２から送信されたタッチ情報の操作パターンと設定部１８３が設定したタッチ情報の操作パターンとを比較して一致するか否かを判定する。
【００３２】
送信制御部１８５は、送受信部１６が受信したタッチ情報と設定部１８３が設定したタッチ情報とが一致する場合、携帯機器２と通信機器１との間で無線通信を確立してコンテンツデータの携帯機器２への送信を送受信部１６に実行させる。具体的には、送信制御部１８５は、パターン判定部１８４が送受信部１６によって受信されたタッチ情報と設定部１８３によって設定されたタッチ情報とが一致する場合、携帯機器２に対してコンテンツデータを送信する。
【００３３】
表示制御部１８６は、画像データに対応する画像を表示部１３に表示させる。表示制御部１８６は、タッチパネル１４から入力される位置信号に基づいて、ユーザがタッチパネル１４に描写した文字や軌跡を表示部１３に表示させる。たとえば、表示制御部１８６は、ユーザがタッチパネル１４上で「４」を描写した場合、ユーザの軌跡に応じた「４」を表示部１３に表示させる。また、表示制御部１８６は、設定情報記録部１５１が記録する設定情報を表示部１３に表示させてもよい。
【００３４】
このように構成された通信機器１に対して、インターネットを介してパーソナルコンピュータ（図示せず）と双方向に通信可能な通信機能を具備させてもよい。
【００３５】
つぎに、携帯機器２について説明する。携帯機器２は、ネットワークや外部の通信局と双方向に無線通信を行う多機能型の携帯電話等を用いて構成される。携帯機器２は、撮像部２１と、送受信部２２と、音声入出力部２３と、地磁気検出部２４と、入力部２５と、表示部２６と、タッチパネル２７と、記録部２８と、通信部２９と、携帯制御部３０と、を備える。撮像部２１、送受信部２２、音声入出力部２３、入力部２５、表示部２６およびタッチパネル２７は、通信機器１の撮像部１１、送受信部１６、音声入出力部１７、入力部１２、表示部１３およびタッチパネル１４それぞれと同様の構成を有するため、説明を省略する。
【００３６】
地磁気検出部２４は、磁気方位センサを用いて構成され、携帯機器２に予め設定された指定方位を検出する。具体的には、地磁気検出部２４は、表示部２６を水平状態にした際の地磁気の垂直方向と水平方向の成分を検出することにより、表示部２６の表示画面の中心から上方に向う方向を基準方位としたときの携帯機器２の方位を検出する。
【００３７】
記録部２８は、ＦｌａｓｈメモリやＤＲＡＭ等の半導体メモリを用いて構成される。記録部２８は、通信機器１を動作させるための各種プログラムおよびプログラムの実行中に使用される各種データやパラメータ等を記録する。記録部２８は、通信機器１に無線通信するために必要な通信機器１の識別情報および識別情報に対応するパスワードを含む設定情報を記録する設定情報記録部２８１と、コンテンツデータを記録するコンテンツ情報記録部２８２と、タッチパネル２７から入力される位置信号を所定の数値に変換する際に用いられる信号化情報を記録する信号化情報記録部２８３と、を有する。
【００３８】
通信部２９は、ネットワークを介して外部の機器、たとえば他の携帯機器またはパーソナルコンピュータ等と双方向に通信を行うための通信インターフェースである。
【００３９】
携帯制御部３０は、ＣＰＵ等を用いて構成される。携帯制御部３０は、入力部２５やタッチパネル２７からの指示信号や切替信号等に応じて携帯機器２を構成する各部に対応する指示やデータの転送等を行って携帯機器２の動作を統括的に制御する。
【００４０】
携帯制御部３０の詳細な構成について説明する。携帯制御部３０は、画像処理部３０１と、信号化部３０２と、設定部３０３と、パターン判定部３０４と、送信制御部３０５と、表示制御部３０６と、を有する。携帯制御部３０は、通信機器１の識別情報、この識別情報に対応するパスワードおよび通信機器１と無線通信を確立するために通信機器１のタッチパネル１４上で描写されるべきタッチパターンに関するタッチ情報を含む設定情報を設定し、このタッチ情報と通信機器１から受信したタッチ情報とを比較して一致する場合、携帯機器２と通信機器１との間で無線通信を確立してコンテンツデータを通信機器１へ送信する。
【００４１】
画像処理部３０１は、画像エンジンを用いて構成され、撮像部２１から入力される画像データに対して各種の画像処理を施して記録部２８または表示部２６に出力する。画像処理部３０１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部３０１は、ＪＰＥＧ方式に従って画像データを圧縮し、圧縮した画像データを記録部２８に記録させてもよい。
【００４２】
信号化部３０２は、信号化情報記録部２８３が記録する信号化情報を参照して、タッチパネル１４から連続的に入力される位置信号を数値に変換する。信号化情報記録部２８３が記録する信号化情報を参照して、タッチパネル２７から連続的に入力される位置信号を数値に変換する。具体的には、信号化部３０２は、ユーザによるタッチパネル２７の軌跡を数値（データ）に変換する。
【００４３】
設定部３０３は、通信機器１と無線通信を確立するための通信機器１のタッチパネル２４上で描写されるべきタッチパターンに関するタッチ情報を設定する。
【００４４】
パターン判定部３０４は、送受信部２２を介して通信機器１から送信されたタッチ情報と設定部３０３が設定したタッチ情報とが一致するか否かを判定する。
【００４５】
送信制御部３０５は、送受信部２２が受信したタッチ情報と設定部３０３が設定したタッチ情報とが一致する場合、通信機器１と携帯機器２との間で無線通信を確立してコンテンツデータの通信機器１への送信を送受信部２２に実行させる。
【００４６】
表示制御部３０６は、画像データに対応する画像を表示部２６に表示させる。表示制御部３０６は、タッチパネル２７から入力される位置信号に基づいて、ユーザがタッチパネル２７に描写した文字や軌跡を表示部２６に表示させる。また、表示制御部３０６は、設定情報記録部２８１が記録する設定情報を表示部２６に表示させてもよい。
【００４７】
このように構成された携帯機器２に対して、所定の視野領域に向けて補助光を照射するフラッシュ機構を設けてもよい。
【００４８】
図２は、上述した通信機器１および携帯機器２が実行する通信処理の概要を説明する図である。図３は、図２の状況を模式的に説明する図である。なお、図２および図３では、通信機器１が記録部１５に記録されたコンテンツデータを再生して表示する再生モードに設定され、携帯機器２が通信機器１からコンテンツデータを受信する受信モードに設定されている。
【００４９】
図２に示すように、通信機器１は、所定の無線通信規格に従って、携帯機器２と無線通信を行ってコンテンツデータを送信する場合において、携帯機器２からタッチパネル２７におけるタッチ操作に応じて変換されたタッチ情報を受信し、このタッチ情報と設定部１８３が設定したタッチ情報とが一致するとき、携帯機器２との間で無線通信を確立してコンテンツデータを送信する。たとえば、図２および図３に示すように、ユーザＯ１がユーザＯ２に対して、携帯機器２で「４」を書いてと伝え、ユーザＯ２が携帯機器２のタッチパネル２７上で「４」を描写した場合において、通信機器１は、携帯機器２から送信された携帯機器２のタッチパネル２７の軌跡に応じて変換されたタッチ情報を受信し、このタッチ情報と設定部１８３が設定したタッチ情報と一致するとき、携帯機器２との間で無線通信を確立してコンテンツデータを送信する。
【００５０】
通信の確立の技術は、一般的に識別情報（機器ＩＤ）の選択と、この識別情報に対応するパスワードの返信によってネゴシエーションを図ることによって行われているが、本実施の形態１においては、識別情報（機器ＩＤ）の選択後、無線通信を確立するパスワードの設定時に上述した通信確立を行えばよい。つまり双方（あるいは１対多）のユーザが、人間同士で直接行った契約に基づいた、即席パスワードを単純な動作（ここではタッチ操作や特定の動作）に落とし込んで認証したものとなる。通信機器１または携帯機器２は、その動作を特別な判定方法で文字列など、規定のパスワードのルールに変換するので、様々な通信規格に簡単に合致させることが出来る。この時、識別情報（機器ＩＤ）の選択動作を行った後、この動作認証に入るので、セキュリティーを高くしてなりすましなどを防止することが可能となる。
【００５１】
図４は、通信機器１と携帯機器２とが無線通信の確立を行う際の状況を説明する図である。
【００５２】
図４に示すように、まず、通信機器１は、送信制御部１８５が携帯機器２に対して設定情報に含まれる通信機器１の識別情報を送受信部１６に送信させるとともに、設定部１８３が携帯機器２と無線通信を確立するためのパスワードとなるタッチ情報を設定する（図４（ａ））。具体的には、送信制御部１８５は、所定の領域内に存在する外部機器、たとえば携帯機器２に対して通信機器１の識別情報（機器ＩＤ）を送信する。設定部１８３は、ユーザによるタッチパネル１４の軌跡を携帯機器２と無線通信を確立するためのタッチ情報として設定し、この設定したタッチ情報を設定情報記録部１５１が記録する通信機器１の設定情報に対応付けて記録する。この際、信号化部１８２は、ユーザによるタッチパネル１４の軌跡を数値に変換して設定情報記録部１５１に記録する。
【００５３】
続いて、携帯機器２は、信号化部３０２がユーザによるタッチパネル２７の軌跡を変換した数値をタッチ情報として通信機器１に送信する（図４（ｂ））。
【００５４】
図５は、信号化部３０２がユーザによるタッチパネル２７の軌跡を数値に変換する方法の概要を説明する図である。図５に示すように、信号化部３０２は、信号化情報記録部２８３が記録する信号化情報テーブルＴ１とタッチパネル２７から入力される位置信号とに基づいて、ユーザによるタッチパネル２７の軌跡を数字に変換する。たとえば、信号化部３０２は、ユーザによるタッチパネル２７のタッチ開始位置（上下）、タッチ開始位置（左右）および最初のスライド（前半）および最初のスライド（後半）等に基づいて、ユーザがタッチパネル２７上で描写した文字の数値化（データ化）を行う。具体的には、信号化部３０２は、ユーザがタッチパネル２７に対して「４」を描写する場合において、ユーザによるタッチパネル２７のタッチ開始位置が上から２／４であり、真ん中であるとき、「０３」、「０１」として変換し、かつ、最初のスライド（前半）が左下方向であり、最初のスライド（後半）がないとき、「０５」および「０３」として変換する。その後、信号化部３０２は、信号化情報テーブルＴ１を参照して、ユーザによるタッチパネル２７の軌跡に応じた文字を数字に変換する。
【００５５】
その後、送信制御部１８５は、携帯機器２から受信したタッチ情報と設定部１８３が設定したタッチ情報とが一致する場合、携帯機器２と無線通信を確立してコンテンツデータを携帯機器２に送信する。具体的には、送受信部１８５は、携帯機器２から受信したタッチ情報の操作パターン（数値）と設定部１８３が設定したタッチ情報の操作パターン（数値）とが一致する場合、携帯機器２と無線通信を確立してコンテンツデータを携帯機器２に送信する（図４（ｃ））。
【００５６】
このように、携帯機器２のユーザＯ２は、通信機器１のユーザによって指定された動作を携帯機器２のタッチパネル２７上で行うだけで、通信機器１と無線通信を確立してコンテンツデータを携帯機器２で受信することができるので、簡易な操作で無線通信を確立することができるとともに、セキュリティーに優れる。
【００５７】
つぎに、通信機器１が実行する処理の概要について説明する。図６は、通信機器１が実行する処理の概要を示すフローチャートである。なお、図６に示すフローチャートは、携帯機器２も同様に行うことができる。
【００５８】
図６に示すように、通信機器１が撮影モードに設定されている場合（ステップＳ１０１：Ｙｅｓ）について説明する。この場合、通信機器１は、撮像を開始し（ステップＳ１０２）、表示制御部１８６は、撮像部１１によって撮像されたライブビュー画像を表示部１３に表示させる（ステップＳ１０３）。
【００５９】
続いて、入力部１２を介してレリーズ信号が入力された場合（ステップＳ１０４：Ｙｅｓ）、通信機器１は、撮影を実行する（ステップＳ１０５）。具体的には、通信機器１は、撮像部１１に撮影動作を実行させることにより、画像データを生成させ、この画像データに対して画像処理部１８１に画像処理を施させて記録部１５に記録する処理を実行する。これに対して、入力部１２を介してレリーズ信号が入力されていない場合（ステップＳ１０４：Ｎｏ）、通信機器１は、ステップＳ１０６へ移行する。
【００６０】
その後、通信機器制御部１８は、通信機器１の電源がオフ状態または通信機器１が待機状態になることにより、通信機器１の撮影動作または再生動作が終了したか否かを判断する（ステップＳ１０６）。通信機器１の撮影動作または再生動画が終了したと通信機器制御部１８が判断した場合（ステップＳ１０６：Ｙｅｓ）、通信機器１は、本処理を終了する。これに対して、通信機器１の撮影動作または再生動作が終了していないと通信機器制御部１８が判断した場合（ステップＳ１０６：Ｎｏ）、通信機器１は、ステップＳ１０１へ戻る。
【００６１】
つぎに、通信機器１が撮影モードに設定されておらず（ステップＳ１０１：Ｎｏ）、通信機器１が再生モードに設定されている場合（ステップＳ１０７：Ｙｅｓ）について説明する。この場合、表示制御部１８６は、記録部１５が記録する複数の画像データにそれぞれ対応する画像（サムネル画像）を表示部１３に一覧表示させる（ステップＳ１０８）。
【００６２】
続いて、一覧表示された画像から拡大して再生する再生画像が選択された場合（ステップＳ１０９：Ｙｅｓ）、表示制御部１８６は、選択された画像を拡大して再生（全画面表示）する（ステップＳ１１０）。これに対して、所定時間内に一覧表示された画像から拡大して再生する再生画像が選択されていない場合（ステップＳ１０９：Ｎｏ）、通信機器１は、ステップＳ１０６へ移行する。
【００６３】
ステップＳ１１１において、通信機器制御部１８は、タッチパネル１４に対してタッチ操作が行われたか否かを判断する。具体的には、通信機器制御部１８は、タッチパネル１４から位置信号が入力されたか否かを判断する。タッチパネル１４に対してタッチ操作が行われたと通信機器制御部１８が判断した場合（ステップＳ１１１：Ｙｅｓ）、通信機器１は、後述するステップＳ１１２へ移行する。これに対して、タッチパネル１４に対してタッチ操作が行われていないと通信機器制御部１８が判断した場合（ステップＳ１１１：Ｎｏ）、通信機器１は、ステップＳ１０６へ移行する。
【００６４】
ステップＳ１１２において、設定部１８３は、設定情報記録部１５１が記録する通信機器１の設定情報に、ユーザによるタッチパネル１４上におけるタッチ操作に応じて携帯機器２と無線通信を確立するためのタッチ情報を対応付けて設定情報記録部１５１に記録する。この際、設定部１８３は、信号化部１８２がタッチ操作を変換した数値をタッチ情報として通信機器１の設定情報に対応付けて設定情報記録部１５１に記録してもよい。
【００６５】
続いて、通信機器制御部１８は、送受信部１６が携帯機器２のタッチパネル２７上において行われたタッチ情報を受信したか否かを判断する（ステップＳ１１３）。送受信部１６が携帯機器２のタッチパネル２７上で行われたタッチ情報を受信したと通信機器制御部１８が判断した場合（ステップＳ１１３：Ｙｅｓ）、通信機器１は、ステップＳ１１４へ移行する。これに対して、送受信部１６が携帯機器２のタッチパネル２７上で行われたタッチ情報を受信していないと通信機器制御部１８が判断した場合（ステップＳ１１３：Ｎｏ）、通信機器１は、ステップＳ１０６へ移行する。
【００６６】
続いて、パターン判定部１８４は、送受信部１６が受信したタッチ情報の操作パターンと設定情報記録部１５１が記録するタッチ情報の操作パターンとが一致するか否かを判定する（ステップＳ１１４）。送受信部１６が受信したタッチ情報と設定情報記録部１５１が記録するタッチ情報の操作パターンとが一致するとパターン判定部１８４が判定した場合（ステップＳ１１４：Ｙｅｓ）、送信制御部１８５は、コンテンツデータの携帯機器２への送信を送受信部１６に実行させる（ステップＳ１１５）。その後、通信機器１は、ステップＳ１０６へ移行する。
【００６７】
ステップＳ１１４において、送受信部１６が受信したタッチ情報の操作パターンと設定情報記録部１５１が記録するタッチ情報の操作パターンとが一致しないとパターン判定部が判定した場合（ステップＳ１１４：Ｎｏ）、通信機器１は、ステップＳ１０６へ移行する。この際、表示制御部１８６は、表示部１３に操作パターンが異なる旨の警告を表示部１３に表示させてもよい。
【００６８】
つぎに、ステップＳ１０７において、再生モードに設定されておらず（ステップＳ１０７：Ｎｏ）、受信モードに設定されている場合（ステップＳ１１６：Ｙｅｓ）について説明する。この場合、通信機器制御部１８は、タッチパネル１４に対してタッチ操作が行われたか否かを判断する（ステップＳ１１７）。タッチパネル１４に対してタッチ操作が行われたと通信機器制御部１８が判断した場合（ステップＳ１１７：Ｙｅｓ）、通信機器１は、ステップＳ１１８へ移行する。これに対して、タッチパネル１４に対してタッチ操作が行われていないと通信機器制御部１８が判断した場合（ステップＳ１１７：Ｎｏ）、通信機器１は、ステップＳ１０６へ移行する。
【００６９】
ステップＳ１１８において、信号化部１８２は、ユーザによるタッチパネル１４の軌跡を判定する。この際、信号化部１８２は、ユーザによるタッチパネル１４の軌跡をタッチ情報として数値に変換する。
【００７０】
続いて、送信制御部１８５は、携帯機器２に対して信号化部１８２が変換した数値をタッチ情報として送受信部１６に送信させる（ステップＳ１１９）。
【００７１】
その後、通信機器制御部１８は、携帯機器２からコンテンツデータを受信したか否かを判断する（ステップＳ１２０）。携帯機器２からコンテンツデータを受信したと通信機器制御部１８が判断した場合（ステップＳ１２０：Ｙｅｓ）、通信機器１は、ステップＳ１２１へ移行する。これに対して、携帯機器２からコンテンツデータを受信していないと通信機器制御部１８が判断した場合（ステップＳ１２０：Ｎｏ）、通信機器１は、ステップＳ１０６へ移行する。この際、表示制御部１８６は、通信機器１が所定時間内に携帯機器２からコンテンツデータを受信していない場合、コンテンツデータを受信できない旨の警告を表示部１３に表示させてもよい。
【００７２】
ステップＳ１２１において、表示制御部１８６は、携帯機器２から受信したコンテンツデータに対応する画像を表示部１３に表示させる。なお、通信機器制御部１８は、携帯機器２から受信したコンテンツデータが音声データの場合、音声入出力部１７に音声データを再生させる。その後、通信機器１は、ステップＳ１０６へ移行する。
【００７３】
ステップＳ１１６において、通信機器１が受信モードに設定されていない場合（ステップＳ１１６：Ｎｏ）、通信機器１は、ステップＳ１０６へ移行する。
【００７４】
以上説明した本発明の実施の形態１によれば、送信制御部１８５が送受信部１６によって受信されたタッチ情報と設定部１８３が設定したタッチ情報とが一致する場合、携帯機器２と通信機器１との間で無線通信を確立してコンテンツデータの携帯機器２への送信を送受信部１６に実行させる。これにより、セキュリティーに優れるとともに、簡易な操作で他の外部機器と双方向に無線通信を行うことができる。
【００７５】
さらに、本実施の形態１によれば、多くの通信規格で利用される機器ＩＤ（識別情報）とパスワードによる通信確立に簡単に応用でき、機器のＩＤを簡単に取得しながら、ユーザ同士のその場の約束で自由自在にコンテンツデータを送信するためのパスワードを設定することができ、セキュリティーを高めることが可能となる。
【００７６】
また、本実施の形態１によれば、タッチパネル１４またはタッチパネル２７上で通信確立用の動作の自由度を高めて、簡単な動作のバラエティをその場で変更したりして増やし、状況に応じた動作を選択でき、極力、無線通信を確立するための動作を単純化してセキュリティーを高めることが可能である。
【００７７】
また、本実施の形態１によれば、識別情報（機器ＩＤ）も、このタッチ操作で得られた記号や文字に置き換えるようにしても良い。つまり送信する方が書いたパターンの前半が機器ＩＤを設定する部分にして、パターンの後半がパスワードになるような決まりにしておけば、同様に様々な通信規格に準拠させることが出来、数多くの機器が通信候補になっている時に、通信したい機器を選ぶようなプロセスを飛ばすことが出来、より簡単な動作での通信確立が可能となる。この通信確立は、その場でのコミュニケーションに従って、様々な自由度で選択できることが出来、セキュリティーを高めることが出来る。この自由度は、タッチパネル１４の２次元的な空間に指などを動かした過程によって、数多くのバリエーションとすることが出来る。
【００７８】
また、本実施の形態１によれば、タッチパネル１４上におけるタッチやスライドなどの動作は、限られた面積のパネル上でなされる動作であるから、誰にでも簡単に操作が可能である。また、その場で見ながら指などの動きを真似すればよいので、文字のみならず、好きな記号や落書きなどでも、通信する双方（あるいは多数間）で、模倣できるものであればよい。文字を書く感覚、絵を描く感覚で操作でき、人類共通に親しみやすい操作ともなっていて、難しい通信確立手法の難易度を下げることが出来る。
【００７９】
また、本実施の形態１によれば、通信に自信がない人にも、やってみようかなという感じで使って貰える技術となる。つまり、利用者の前にある心理的なハードルを下げ、さらには使用促進さえ出来るようになっている。
【００８０】
なお、本実施の形態１では、設定部１８３および設定部３０３は、パスワードとしてのタッチ情報を設定情報記録部１５１または設定情報記録部２８１にそれぞれ記録させていたが、その都度、タッチ情報を記録させなくてもよい。この場合、設定部１８３または設定部３０３は、ユーザが入力部１２を押圧している間、たとえば操作スイッチや操作ダイヤル等のスイッチを押圧した状態を維持しているときのみ、タッチ情報を設定してもよい。これにより、よりセキュリティーを高めることができる。
【００８１】
（実施の形態２）
つぎに、本発明の実施の形態２について説明する。本実施の形態２にかかる通信機器および携帯機器は、上述した実施の形態と同様の構成を有し、コンテンツデータを送受信する際のパスワードとしてのタッチ情報および処理が異なる。このため、以下においては、本実施の形態２にかかる通信機器および携帯機器がコンテンツデータを送受信する際のパスワードとしてのタッチ情報を説明後、本実施の形態２にかかる通信機器および携帯機器が実行する処理について説明する。なお、上述した実施の形態１と同一の構成には同一の符号を付して説明する。
【００８２】
図７は、通信機器１および携帯機器２が実行する通信処理の概要を説明する図である。図８は、図７の状況を模式的に説明する図である。なお、図７および図８では、通信機器１が再生モードに設定され、携帯機器２が撮影モードに設定されている。
【００８３】
図７および図８に示すように、通信機器１は、所定の無線通信規格に従って、携帯機器２と無線通信を行ってコンテンツデータを送信する場合、携帯機器２が通信機器１の表示部１３を連続的に撮像し、携帯機器２の表示部２６で表示されるライブビュー画像内に写るユーザのタッチパネル１４の軌跡とほぼ同じ動作のタッチ情報を受信し、このタッチ情報が設定部１８３によって設定されたタッチ情報と一致するとき、コンテンツデータを送信する。たとえば、図７および図８に示すように、ユーザＯ１がユーザＯ２に対してなぞってと伝えた場合において、ユーザＯ２が携帯機器２で通信機器１を撮影し、携帯機器２の表示部２６で表示されるライブビュー画像を見ながら、ユーザＯ１が通信機器１のタッチパネル１４に対して行った軌跡と同じ軌跡を携帯機器２のタッチパネル２７で行ったとき、通信機器１は、携帯機器２との間で無線通信を確立してコンテンツデータを送信する。
【００８４】
このように、携帯機器２のユーザＯ２は、ユーザＯ１によるタッチパネル１４の軌跡を携帯機器２で撮影しつつ、携帯機器２の表示部２６で表示されるユーザＯ１によるタッチパネル１４の軌跡と同じ動きを携帯機器２のタッチパネル２７でなぞるだけで、コンテンツデータを携帯機器２で受信することができる。
【００８５】
つぎに、通信機器１が実行する処理の概要について説明する。図９は、通信機器１が実行する処理の概要を示すフローチャートである。なお、図９に示すフローチャートは、携帯機器２も同様に行うことができる。
【００８６】
ステップＳ２０１〜ステップＳ２０３は、図６のステップＳ１０１〜ステップＳ１０３にそれぞれ対応する。
【００８７】
ステップＳ２０４において、通信機器制御部１８は、タッチパネル１４に対してタッチ操作が行われたか否かを判断する。タッチパネル１４に対してタッチ操作が行われたと通信機器制御部１８が判断した場合（ステップＳ２０４：Ｙｅｓ）、通信機器１は、後述するステップＳ２０５へ移行する。これに対して、タッチパネル１４に対してタッチ操作が行われていないと通信機器制御部１８が判断した場合（ステップＳ２０４：Ｎｏ）、通信機器１は、後述するステップＳ２０９へ移行する。
【００８８】
ステップＳ２０５において、送信制御部１８５は、ユーザによるタッチパネル１４の軌跡をタッチ情報として携帯機器２に送信する。
【００８９】
続いて、通信機器制御部１８は、携帯機器２からコンテンツデータを受信したか否かを判断する（ステップＳ２０６）。携帯機器２からコンテンツデータを受信したと通信機器制御部１８が判断した場合（ステップＳ２０６：Ｙｅｓ）、表示制御部１８６は、携帯機器２から受信したコンテンツデータを表示部１３に表示させる（ステップＳ２０７）。
【００９０】
その後、通信機器制御部１８は、通信機器１の電源がオフ状態または通信機器１が待機状態になることにより、通信機器１の撮影動作または再生動作が終了したか否かを判断する（ステップＳ２０８）。通信機器１の撮影動作または再生動作が終了したと通信機器制御部１８が判断した場合（ステップＳ２０８：Ｙｅｓ）、通信機器１は、本処理を終了する。これに対して、通信機器１の撮影動作または再生動作が終了していないと通信機器制御部１８が判断した場合（ステップＳ２０８：Ｎｏ）、通信機器１は、ステップＳ２０１へ戻る。
【００９１】
ステップＳ２０６において、携帯機器２からコンテンツデータを受信していないと通信機器制御部１８が判断した場合（ステップＳ２０６：Ｎｏ）、通信機器１は、ステップＳ２０９へ移行する。
【００９２】
ステップＳ２０９およびステップＳ２１０は、図６のステップＳ１０４およびステップＳ１０５にそれぞれ対応する。また、ステップＳ２１１〜ステップＳ２１５は、図６のステップＳ１０７〜ステップＳ１１１にそれぞれ対応する。
【００９３】
ステップＳ２１６において、表示制御部１８６は、ユーザによるタッチパネル１４のタッチ操作に応じた軌跡を表示部１３に表示させる。具体的には、図８に示すように、表示制御部１８６は、タッチパネル１４から連続的に入力される位置信号に基づいて、ユーザによるタッチパネル１４の軌跡を表示部１３に表示させる。
【００９４】
続いて、通信機器制御部１８は、送受信部１６が携帯機器２からタッチ情報を受信したか否かを判断する（ステップＳ２１７）。送受信部１６が携帯機器２からタッチ情報を受信したと通信機器制御部１８が判断した場合（ステップＳ２１７：Ｙｅｓ）、通信機器１は、後述するステップＳ２１８へ移行する。これに対して、送受信部１６が携帯機器２からタッチ情報を受信していないと通信機器制御部１８が判断した場合（ステップＳ２１７：Ｎｏ）、通信機器１は、ステップＳ２０８へ移行する。
【００９５】
ステップＳ２１８において、パターン判定部１８４は、送受信部１６が受信したパターン情報に含まれる携帯機器２のタッチパネル２７の軌跡と通信機器１の設定部１８３が設定したタッチパネル１４の軌跡との一致度が所定の範囲内であるか否かを判定する。送受信部１６が受信したタッチ情報に含まれる携帯機器２のタッチパネル１４の軌跡と通信機器１の設定部１８３が設定したタッチパネル１４の軌跡との一致度が所定の範囲内であるとパターン判定部１８４が判定した場合（ステップＳ２１８：Ｙｅｓ）、送信制御部１８５は、コンテンツデータの携帯機器２への送信を送受信部１６に実行させる（ステップＳ２１９）。その後、通信機器１は、ステップＳ２０８へ移行する。
【００９６】
ステップＳ２１８において、送受信部１６が受信したタッチ情報に含まれる携帯機器２のタッチパネル１４の軌跡と通信機器１の設定部１８３が設定したタッチパネル１４の軌跡との一致度が所定の範囲内でないとパターン判定部１８４が判定した場合（ステップＳ２１８：Ｎｏ）、表示制御部１８６は、ユーザが携帯機器２のタッチパネル２７に対して行ったタッチ操作の軌跡が通信機器１のタッチパネル１４で行われたタッチ操作の軌跡とが一致しないことを示す警告を表示部１３に表示させる（ステップＳ２２０）。その後、通信機器１は、ステップＳ２０８へ移行する。
【００９７】
以上説明した本発明の実施の形態２によれば、送信制御部１８５が送受信部１６によって受信されたタッチ情報の軌跡と設定部１８３が設定したタッチ情報の軌跡とが一致する場合、携帯機器２と通信機器１との間で無線通信を確立してコンテンツデータの携帯機器２への送信を送受信部１６に実行させる。これにより、セキュリティーに優れるとともに、簡易な操作で携帯機器２と双方向に無線通信を行うことができる。
【００９８】
さらに、本実施の形態２によれば、表示制御部１８６がユーザによるタッチパネル１４の軌跡を識別可能に表示部１３に表示させるので、コンテンツデータを受信する携帯機器２で連続して撮像して表示部２６で表示されるライブビュー画像内のタッチパネル１４の軌跡を容易になぞることができる。これにより、より簡易な操作で携帯機器２と双方向に無線通信を確立してコンテンツデータを送受信することができる。
【００９９】
また、本実施の形態２によれば、識別情報（機器ＩＤ）も、このタッチ操作で得られた記号や文字に置き換えるようにしても良い。つまり送信する方が書いたパターンの前半が機器ＩＤを設定する部分にして、パターンの後半がパスワードになるような決まりにしておけば、同様に様々な通信規格に準拠させることが出来、数多くの機器が通信候補になっている時に、通信したい機器を選ぶようなプロセスを飛ばすことが出来、より簡単な動作での通信確立が可能となる。この通信確立は、その場でのコミュニケーションに従って、様々な自由度で選択できることが出来、セキュリティーを高めることが出来る。この自由度は、タッチパネル１４の２次元的な空間に指などを動かした過程によって、数多くのバリエーションとすることが出来る。
【０１００】
また、本実施の形態２によれば、タッチパネル１４上におけるタッチやスライドなどの動作は、限られた面積のパネル上でなされる動作であるから、誰にでも簡単に操作が可能である。また、その場で見ながら指などの動きを真似すればよいので、文字のみならず、好きな記号や落書きなどでも、通信する双方（あるいは多数間）で、模倣できるものであればよい。文字を書く感覚、絵を描く感覚で操作でき、人類共通に親しみやすい操作ともなっていて、難しい通信確立手法の難易度を下げることが出来る。
【０１０１】
また、本実施の形態２によれば、通信に自信がない人にも、やってみようかなという感じで使って貰える技術となる。つまり、利用者の前にある心理的なハードルを下げ、さらには使用促進さえ出来るようになっている。
【０１０２】
（実施の形態３）
つぎに、本発明の実施の形態３について説明する。本実施の形態３は、通信機器および携帯機器それぞれのタッチパネルのタッチ操作で描写された文字が一致した場合に、無線通信を確立してコンテンツデータを送信する。このため、以下においては、本実施の形態３にかかる通信機器および携帯機器の構成を説明後、本実施の形態３にかかる通信機器および携帯機器が行う処理を説明する。なお、上述した実施の形態１と同一の構成には同一の符号を付して説明する。
【０１０３】
図１０は、本実施の形態３にかかる通信機器１００および携帯機器２００の構成を示すブロック図である。図１０に示す通信機器１００は、撮像部１１と、入力部１２、表示部１３と、記録部１１０と、送受信部１６と、音声入出力部１７と、通信機器制御部１２０と、を備える。
【０１０４】
記録部１１０は、ＦｌａｓｈメモリやＤＲＡＭ等の半導体メモリを用いて構成される。記録部１１０は、設定情報記録部１５１と、コンテンツ情報記録部１５２と、文字情報記録部１１１と、を有する。文字情報記録部１１１は、ユーザによるタッチパネル１４の軌跡を、通信機器制御部１２０がパターンマッチング等で文字に変換される際の文字情報を記録する。
【０１０５】
通信機器制御部１２０は、ＣＰＵ等を用いて構成される。通信機器制御部１２０は、入力部１２やタッチパネル１４からの指示信号や切替信号等に応じて通信機器１００を構成する各部に対応する指示やデータの転送等を行って携帯機器２００の動作を統括的に制御する。
【０１０６】
通信機器制御部１２０の詳細な構成について説明する。通信機器制御部１２０は、画像処理部１８１と、表示制御部１８６と、文字変換部１２１と、設定部１２２と、文字判定部１２３と、送信制御部１２４と、を有する。
【０１０７】
文字変換部１２１は、タッチパネル１４から入力される位置信号と文字情報記録部１１１が記録する文字情報とに基づいて、ユーザによるタッチパネル１４の軌跡をパターンマッチングにより近似する文字を検出し、検出した文字を文字情報として変換する。たとえば、文字変換部１２１は、ユーザがタッチパネル１４上で「４」を描写した場合、文字情報記録部１１１が記録する文字情報を参照して、パターンマッチングによる近似する文字として「４」を検出し、検出した文字を文字情報として変換する。
【０１０８】
設定部１２２は、設定情報記録部１５１が記録する通信機器１００の設定情報に、文字変換部１２１が変換した文字情報を携帯機器２００と無線通信を確立するためのタッチ情報として設定する。設定部１２２は、設定情報記録部１５１にタッチ情報を記録する。
【０１０９】
文字判定部１２３は、送受信部１６が携帯機器２００から受信した通信機器１００と無線通信を確立するためのタッチ情報としての文字情報と設定情報記録部１５１が記録する設定情報に対応付けられたタッチ情報として文字情報とが一致するか否かを判定する。
【０１１０】
送信制御部１２４は、文字判定部１２３の判定結果に基づいて、携帯機器２００と無線通信を確立してコンテンツデータの携帯機器２００への送信を送受信部１６に実行させる。具体的には、送信制御部１２４は、文字判定部１２３が送受信部１６によって受信された文字情報と設定情報記録部１５１が記録するタッチ情報として文字情報とが一致すると判定した場合、携帯機器２００と無線通信を確立してコンテンツデータの携帯機器２００への送信を送受信部１６に実行させる。
【０１１１】
つぎに、携帯機器２００について説明する。携帯機器２００は、撮像部２１と、送受信部２２と、音声入出力部２３と、地磁気検出部２４と、入力部２５と、表示部２６と、タッチパネル２７と、記録部２１０と、携帯制御部２２０と、を備える。
【０１１２】
記録部２１０は、ＦｌａｓｈメモリやＤＲＡＭ等の半導体メモリを用いて構成される。記録部２１０は、設定情報記録部２８１と、コンテンツ情報記録部２８２と、文字情報記録部２１１と、を有する。文字情報記録部２１１は、ユーザによるタッチパネル２７の軌跡をパターンマッチング等で文字に変換される際の文字情報を記録する。
【０１１３】
携帯制御部２２０は、ＣＰＵ等を用いて構成される。携帯制御部２２０は、入力部２５やタッチパネル２７からの指示信号や切替信号等に応じて携帯機器２００を構成する各部に対応する指示やデータの転送等を行って携帯機器２００の動作を統括的に制御する。
【０１１４】
携帯制御部２２０の詳細な構成について説明する。携帯制御部２２０は、画像処理部３０１と、表示制御部３０６と、文字変換部２２１と、設定部２２２と、文字判定部２２３と、送信制御部２２４と、を有する。
【０１１５】
文字変換部２２１は、タッチパネル２７から入力される位置信号と文字情報記録部２１１が記録する文字情報とに基づいて、ユーザによるタッチパネル２７の軌跡をパターンマッチングにより近似する文字を検出し、検出した文字を文字情報として変換する。
【０１１６】
設定部２２２は、設定情報記録部２８１が記録する携帯機器２００の設定情報に、文字変換部２２１が変換した文字情報を通信機器１００と無線通信を確立するためのパスワードを示すタッチ情報として設定する。設定部２２２は、文字変換部２２１が変換した文字情報を通信機器１００と無線通信を確立するためのパスワードを示すタッチ情報として設定情報記録部２８１に記録する。
【０１１７】
文字判定部２２３は、送受信部２２が通信機器１００から受信した携帯機器２００と無線通信を確立するためのタッチ情報としての文字情報と設定情報記録部２８１が記録する設定情報に対応付けられたタッチ情報として文字情報とが一致するか否かを判定する。
【０１１８】
送信制御部２２４は、文字判定部２２３の判定結果に基づいて、通信機器１００と無線通信を確立してコンテンツデータの通信機器１００への送信を送受信部２２に実行させる。
【０１１９】
このように構成された通信機器１が実行する処理の概要について説明する。図１１は、通信機器１００が実行する処理の概要を示すフローチャートである。なお、図１１に示すフローチャートは、携帯機器２００も同様に行うことができる。
【０１２０】
ステップＳ３０１〜ステップＳ３１１は、図６のステップＳ１０１〜ステップＳ１１１にそれぞれ対応する。
【０１２１】
ステップＳ３１２において、文字変換部１２１は、ユーザによるタッチパネル１４のタッチ操作を文字情報に変換する。
【０１２２】
続いて、設定部１２２は、文字変換部１２１が変換した文字情報を携帯機器２００と無線通信を確立するためのパスワードを示すタッチ情報として通信機器１００の設定情報に対応付けて設定情報記録部１５１に記録する（ステップＳ３１３）。
【０１２３】
その後、通信機器制御部１２０は、送受信部１６が携帯機器２００から文字情報を受信したか否かを判断する（ステップＳ３１４）。送受信部１６が携帯機器２００から文字情報を受信したと通信機器制御部１２０が判断した場合（ステップＳ３１４：Ｙｅｓ）、通信機器１００は、後述するステップＳ３１５へ移行する。これに対して、送受信部１６が携帯機器２００から文字情報を受信していないと通信機器制御部１２０が判断した場合（ステップＳ３１４：Ｎｏ）、通信機器１００は、ステップＳ３０６へ移行する。
【０１２４】
ステップＳ３１５において、文字判定部１２３は、送受信部１６が携帯機器２００から受信した文字情報と設定情報記録部１５１が記録する設定情報に対応付けられたタッチ情報としての文字情報とが一致するか否かを判定する。送受信部１６が携帯機器２００から受信した文字情報と設定情報記録部１５１が記録する設定情報に対応付けられたタッチ情報としての文字情報とが一致すると文字判定部１２３が判定した場合（ステップＳ３１５：Ｙｅｓ）、送信制御部１２４は、コンテンツデータの携帯機器２００への送信を送受信部１６に実行させる（ステップＳ３１６）。その後、通信機器１００は、ステップＳ３０６へ移行する。これに対して、送受信部１６が携帯機器２００から受信した文字情報と設定情報記録部１５１が記録する設定情報に対応付けられたタッチ情報としての文字情報とが一致しないと文字判定部１２３が判定した場合（ステップＳ３１５：Ｎｏ）、通信機器１００は、ステップＳ３０６へ移行する。
【０１２５】
ステップＳ３１７およびステップＳ３１８は、図６のステップＳ１１６およびステップＳ１１７にそれぞれ対応する。
【０１２６】
ステップＳ３１９において、文字変換部１２１は、ユーザによるタッチパネル１４の軌跡を文字情報に変換する。
【０１２７】
続いて、送信制御部１２４は、文字変換部１２１が変換した文字情報の携帯機器２００への送信を送受信部１６に実行させる（ステップＳ３２０）。
【０１２８】
ステップＳ３２１およびステップＳ３２２は、図６のステップＳ１２０およびステップＳ１２１にそれぞれ対応する。
【０１２９】
以上説明した本発明の実施の形態３によれば、送信制御部１２４が送受信部１６によって受信されたタッチ情報としての文字情報と設定部１２２が設定したタッチ情報としての文字情報とが一致する場合、携帯機器２００と通信機器１００との間で無線通信を確立してコンテンツデータの携帯機器２００への送信を送受信部１６に実行させる。これにより、セキュリティーに優れるとともに、簡易な操作で携帯機器２００と双方向に無線通信を行ってコンテンツデータを送信することができる。
【０１３０】
さらに、本実施の形態３によれば、ユーザがタッチパネル１４に描写した文字によって通信機器１００と携帯機器２００との間で無線通信を確立するパスワードとするので、無線通信を確立する際のパスワードを簡易な操作で行うことができる。
【０１３１】
また、本実施の形態３によれば、識別情報（機器ＩＤ）も、このタッチ操作で得られた記号や文字に置き換えるようにしても良い。つまり送信する方が書いたパターンの前半が機器ＩＤを設定する部分にして、パターンの後半がパスワードになるような決まりにしておけば、同様に様々な通信規格に準拠させることが出来、数多くの機器が通信候補になっている時に、通信したい機器を選ぶようなプロセスを飛ばすことが出来、より簡単な動作での通信確立が可能となる。この通信確立は、その場でのコミュニケーションに従って、様々な自由度で選択できることが出来、セキュリティーを高めることが出来る。この自由度は、タッチパネル１４の２次元的な空間に指などを動かした過程によって、数多くのバリエーションとすることが出来る。
【０１３２】
また、本実施の形態３によれば、タッチパネル１４上におけるタッチやスライドなどの動作は、限られた面積のパネル上でなされる動作であるから、誰にでも簡単に操作が可能である。また、その場で見ながら指などの動きを真似すればよいので、文字のみならず、好きな記号や落書きなどでも、通信する双方（あるいは多数間）で、模倣できるものであればよい。文字を書く感覚、絵を描く感覚で操作でき、人類共通に親しみやすい操作ともなっていて、難しい通信確立手法の難易度を下げることが出来る。
【０１３３】
また、本実施の形態３によれば、通信に自信がない人にも、やってみようかなという感じで使って貰える技術となる。つまり、利用者の前にある心理的なハードルを下げ、さらには使用促進さえ出来るようになっている。
【０１３４】
なお、本実施の形態３では、文字変換部１２１がタッチパネル１４の軌跡を、この軌跡に近似する文字に変換していたが、たとえば音声入出力部１７から入力された音声を解析し、この解析した音声に近似する文字に変換してもよい。これにより、より簡易な操作で無線通信を確立する際のパスワードを設定することができる。
【０１３５】
（実施の形態４）
つぎに、本発明の実施の形態４について説明する。本実施の形態４は、ユーザによるタッチパネル上での軌跡の経時的な変化が一致した場合、通信機器と無線通信との間で無線通信を確立してコンテンツデータを双方向に送受信する。このため、以下においては、本実施の形態４にかかる通信機器および携帯機器の構成を説明後、本実施の形態４にかかる通信機器および携帯機器が行う処理を説明する。なお、上述した実施の形態１と同一の構成には同一の符号を付して説明する。
【０１３６】
図１２は、本実施の形態４にかかる通信機器４００および携帯機器５００の構成を示すブロック図である。図１２に示す通信機器４００は、撮像部１１と、入力部１２と、表示部１３と、タッチパネル１４と、記録部１５と、送受信部１６と、音声入出力部１７と、姿勢検出部４０１と、時計４０２と、通信機器制御部４１０と、を備える。
【０１３７】
姿勢検出部４０１は、３軸加速度センサおよびジャイロセンサ等を用いて構成され、通信機器４００の姿勢を検出する。具体的には、姿勢検出部４０１は、通信機器４００の鉛直方向をＸ、通信機器４００の厚み方向をＹとしたときの通信機器４００の姿勢を検出する。姿勢検出部４０１は、検出した通信機器４００の姿勢を通信機器制御部４１０に出力する。
【０１３８】
時計４０２は、計時機能および撮影日時の判定機能を有する。時計４０２は、撮像された画像データに日時データを付加するため、現在の時刻を通信機器制御部４１０に出力する。
【０１３９】
通信機器制御部４１０は、ＣＰＵ等を用いて構成される。通信機器制御部４１０は、入力部１２やタッチパネル１４からの指示信号や切替信号等に応じて通信機器４００を構成する各部に対応する指示やデータの転送等を行って通信機器４００の動作を統括的に制御する。
【０１４０】
通信機器制御部４１０の詳細な構成について説明する。通信機器制御部４１０は、画像処理部１８１と、表示制御部１８６と、タッチ位置判定部４１１と、設定部４１２と、パターン判定部４１３と、送信制御部４１４と、を有する。
【０１４１】
タッチ位置判定部４１１は、タッチパネル１４から入力される位置信号と姿勢検出部４０１が検出した通信機器４００の姿勢に基づいて、タッチパネル１４上における現在のユーザのタッチ位置を判定する。
【０１４２】
設定部４１２は、設定情報記録部１５１が記録する通信機器４００の設定情報に、携帯機器５００と無線通信を確立するためのパスワードとしてユーザによるタッチパネル１４における経時的に変化するタッチ情報を対応付けて設定情報記録部１５１に記録する。
【０１４３】
パターン判定部４１３は、送受信部１６が携帯機器５００から受信した携帯機器５００と無線通信を確立するための経時的に変化するタッチ情報と設定情報記録部１５１が記録する設定情報に対応付けられた経時的に変化するタッチ情報とが一致するか否かを判定する。
【０１４４】
送信制御部４１４は、パターン判定部４１３の判定結果に基づいて、携帯機器５００と無線通信を確立してコンテンツデータの携帯機器５００への送信を送受信部１６に実行させる。具体的には、送信制御部４１４は、パターン判定部４１３が送受信部１６によって受信された経時的に変化するタッチ情報と設定情報記録部１５１によって記録されている設定情報に対応付けられた経時的に変化するタッチ情報とが一致する判定した場合、携帯機器５００と無線通信を確立してコンテンツデータの携帯機器５００への送信を送受信部１６に実行させる。
【０１４５】
つぎに、携帯機器５００について説明する。撮像部２１と、送受信部２２と、音声入出力部２３と、地磁気検出部２４と、入力部２５と、表示部２６と、タッチパネル２７と、記録部２１０と、姿勢検出部５０１と、時計５０２と、携帯制御部５１０と、を備える。姿勢検出部５０１および時計５０２は、通信機器４００の姿勢検出部４０１および時計４０２それぞれと同様の構成のため、説明を省略する。
【０１４６】
携帯制御部５１０は、ＣＰＵ等を用いて構成される。携帯制御部５１０は、入力部２５やタッチパネル２７からの指示信号や切替信号等に応じて携帯機器５００を構成する各部に対応する指示やデータの転送等を行って携帯機器５００の動作を統括的に制御する。
【０１４７】
携帯制御部５１０の詳細な構成について説明する。携帯制御部５１０は、画像処理部３０１と、表示制御部３０６と、タッチ位置判定部５１１と、設定部５１２と、パターン判定部５１３と、送信制御部５１４と、を有する。
【０１４８】
タッチ位置判定部５１１は、タッチパネル２７から入力される位置信号と姿勢検出部５０１が検出した携帯機器５００の姿勢に基づいて、タッチパネル２７上における現在のユーザのタッチ位置を判定する。
【０１４９】
設定部５１２は、設定情報記録部２８１が記録する携帯機器５００の設定情報に、通信機器４００と無線通信を確立するためのパスワードとしてユーザによるタッチパネル２７における経時的に変化するタッチ情報を対応付けて設定情報記録部２８１に記録する。
【０１５０】
パターン判定部５１３は、送受信部２２が通信機器４００から受信した通信機器４００と無線通信を確立するための経時的に変化するタッチ情報と設定情報記録部２８１が記録する設定情報に対応付けられた経時的に変化するタッチ情報とが一致するか否かを判定する。
【０１５１】
送信制御部５１４は、パターン判定部５１３の判定結果に基づいて、通信機器４００と無線通信を確立してコンテンツデータの通信機器４００への送信を送受信部２２に実行させる。
【０１５２】
このように構成された通信機器４００と携帯機器５００とが実行する通信処理の概要について説明する。図１３は、通信機器４００および携帯機器５００が実行する通信処理の概要を説明する図である。図１４は、図１３の状況を模式的に説明する図である。なお、図１３および図１４では、通信機器４００が再生モードに設定され、携帯機器５００が撮影モードに設定されている。
【０１５３】
図１３および図１４に示すように、通信機器４００は、所定の無線通信規格に従って、携帯機器５００と無線通信を確立してコンテンツデータを送信する場合、携帯機器５００のタッチパネル２７上で通信機器４００のタッチパネル１４上と同じスピードでタッチ操作が行われた場合、携帯機器５００と無線通信を確立してコンテンツデータを送信する。たとえば、図１３および図１４に示すように、ユーザＯ１がユーザＯ２に対して同じスピードでタッチ操作を行ってと伝えた場合において、ユーザＯ１およびユーザＯ２がそれぞれ通信機器４００のタッチパネル１４および携帯機器５００のタッチパネル２７で同じスピードでスライド操作を行ったとき、通信機器４００は、携帯機器５００との間で無線通信を確立してコンテンツデータを送信する。
【０１５４】
このように、通信機器４００のユーザＯ１および携帯機器５００のユーザＯ２は、通信機器４００のタッチパネル１４および携帯機器５００のタッチパネル２７上でそれぞれ同じスピードでスライド操作を行うだけで、通信機器４００と携帯機器５００との間で無線通信を確立してコンテンツデータを双方向に送受信を行わせることができる。
【０１５５】
つぎに、通信機器４００が実行する処理の概要について説明する。図１５は、通信機器４００が実行する処理の概要を示すフローチャートである。なお、図１５に示すフローチャートは、携帯機器５００も同様に行うことができる。
【０１５６】
ステップＳ４０１〜ステップＳ４１１は、図６のステップＳ１０１〜ステップＳ１１１にそれぞれ対応する。
【０１５７】
ステップＳ４１２において、設定部４１２は、タッチ位置判定部４１１が判定したタッチパネル１４上における経時的に変化するタッチ位置を通信機器４００の設定情報に対応付けて設定情報記録部１５１に記録する。図１６は、タッチ位置判定部４１１がタッチ位置を判定する際の状況を模式的に示す図である。図１７は、タッチ位置判定部４１１が判定したタッチ位置のデータと時間との関係を示す図である。また、図１７においては、縦軸が通信機器４００の長手方向（Ｘ軸）を通信機器４００の姿勢に応じて換算した座標を示し、横軸が時間を示す。図１６および図１７に示すように、設定部４１２は、通信機器４００の姿勢に基づいて、タッチ位置判定部４１１がタッチ位置をデータ化して設定情報に対応付けて設定情報記録部１５１に記録する。具体的には、設定部４１２は、タッチ位置判定部４１１が所定のタイミング毎に検出したタッチ位置Ｐ１〜Ｐ４に基づいて、タッチ位置Ｐ１〜Ｐ４に近似する直線Ｌ１を求め、この求めた直線Ｌ１と時間とが成す角度θxをデータ化して設定情報に対応付けて設定情報記録部１５１に記録する。なお、設定部４１２は、タッチ位置判定部４１１が所定のタイミング毎に通信機器４００の短手方向（Ｙ軸）で検出したタッチ位置に基づいて、タッチ位置に近似する直線を求め、この求めた直線Ｌ１と時間とが成す角度θyをデータ化して設定情報に対応付けて設定情報記録部１５１に記録する。
【０１５８】
続いて、通信機器制御部４１０は、送受信部１６が携帯機器５００からタッチ情報を受信したか否かを判断する（ステップＳ４１３）。送受信部１６が携帯機器５００からタッチ情報を受信したと通信機器制御部４１０が判断した場合（ステップＳ４１３：Ｙｅｓ）、通信機器４００は、後述するステップＳ４１４へ移行する。これに対して、送受信部１６が携帯機器５００からタッチ情報を受信していないと通信機器制御部４１０が判断した場合（ステップＳ４１３：Ｎｏ）、通信機器４００は、ステップＳ４０６へ移行する。
【０１５９】
ステップＳ４１４において、パターン判定部４１３は、送受信部１６が携帯機器５００から受信したタッチ情報と設定部４１２が設定したタッチ情報とが同じ経時的な変化を行っているか否かを判定する。送受信部１６が携帯機器５００から受信したタッチ情報と設定部４１２が設定したタッチ情報とが同じ経時的な変化を行っているとパターン判定部４１３が判定した場合（ステップＳ４１４：Ｙｅｓ）、送信制御部４１４は、コンテンツデータの携帯機器５００への送信を送受信部１６に実行させる（ステップＳ４１５）。その後、通信機器４００は、ステップＳ４０６へ移行する。これに対して、送受信部１６が携帯機器５００から受信したタッチ情報と設定部４１２が設定したタッチ情報とが同じ経時的な変化を行っていないとパターン判定部４１３が判定した場合（ステップＳ４１４：Ｎｏ）、通信機器４００は、ステップＳ４０６へ移行する。
【０１６０】
ステップＳ４１６〜ステップＳ４２０は、ステップＳ１１６〜ステップＳ１２１にそれぞれ対応する。
【０１６１】
以上説明した本発明の実施の形態４によれば、送信制御部４１４が送受信部１６によって受信された経時的に変換するタッチ情報と設定部４１２が設定した経時的に変化するタッチ情報とが一致する場合、携帯機器５００と通信機器４００との間で無線通信を確立してコンテンツデータの携帯機器５００への送信を送受信部１６に実行させる。これにより、セキュリティーに優れるとともに、簡易な操作で携帯機器５００と双方向に無線通信を行ってコンテンツデータを送信することができる。
【０１６２】
また、本実施の形態１によれば、識別情報（機器ＩＤ）も、このタッチ操作で得られた記号や文字に置き換えるようにしても良い。つまり送信する方が書いたパターンの前半が機器ＩＤを設定する部分にして、パターンの後半がパスワードになるような決まりにしておけば、同様に様々な通信規格に準拠させることが出来、数多くの機器が通信候補になっている時に、通信したい機器を選ぶようなプロセスを飛ばすことが出来、より簡単な動作での通信確立が可能となる。この通信確立は、その場でのコミュニケーションに従って、様々な自由度で選択できることが出来、セキュリティーを高めることが出来る。この自由度は、タッチパネル１４の２次元的な空間に指などを動かした過程によって、数多くのバリエーションとすることが出来る。
【０１６３】
また、本実施の形態１によれば、タッチパネル１４上におけるタッチやスライドなどの動作は、限られた面積のパネル上でなされる動作であるから、誰にでも簡単に操作が可能である。また、その場で見ながら指などの動きを真似すればよいので、文字のみならず、好きな記号や落書きなどでも、通信する双方（あるいは多数間）で、模倣できるものであればよい。文字を書く感覚、絵を描く感覚で操作でき、人類共通に親しみやすい操作ともなっていて、難しい通信確立手法の難易度を下げることが出来る。
【０１６４】
また、本実施の形態１によれば、通信に自信がない人にも、やってみようかなという感じで使って貰える技術となる。つまり、利用者の前にある心理的なハードルを下げ、さらには使用促進さえ出来るようになっている。
【０１６５】
（その他の実施の形態）
なお、本発明においては、送受信部を介してコンテンツデータおよび設定情報を双方向に送受信していたが、通信機器および携帯機器それぞれにインターネットと接続可能な通信部を設け、ネットワークを介してコンテンツデータおよび設定情報を双方向に送受信を行ってもよい。さらに、ネットワーク上のサーバを介してコンテンツデータおよび設定情報を双方向に送受信を行ってもよい。
【０１６６】
また、本発明においては、撮像部が１つの筐体に設けられたデジタルカメラを例に説明したが、レンズ部が着脱自在なレンズ装置と本体部とで構成されたデジタル一眼レフカメラであっても適用することができる。
【０１６７】
また、本発明にかかる通信機器は、デジタルカメラ以外にも、例えばアクセサリ等を装着可能なデジタルカメラ、デジタルビデオカメラおよび撮影機能を有する携帯電話やタブレット型携帯機器等の電子機器にも適用することができる。
【０１６８】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１６９】
このように、本発明は、ここでは記載していない様々な実施の形態を含みうるものであり、特許請求の範囲によって特定される技術的思想の範囲内で種々の設計変更等を行うことが可能である。
【０１７０】
（付記）
外部からの物体の接触を検出し、この検出した位置に応じた位置信号の入力を受け付けるタッチパネルを備えた携帯機器と双方向に無線通信を行って画像データを含むコンテンツデータを送信する通信機器であって、
前記携帯機器の識別情報、該識別情報に対応するパスワードおよび前記携帯機器と無線通信を確立するために前記携帯機器の前記タッチパネル上で描写されるべきタッチパターンに関するタッチ情報を含む設定情報を設定し、該タッチ情報と前記携帯機器から受信した前記タッチ情報とを比較して一致する場合、前記携帯機器と当該通信機器との間で無線通信を確立して前記コンテンツデータを前記携帯機器へ送信する制御部を備えたことを特徴とする通信機器。
【符号の説明】
【０１７１】
１，１００，４００  通信機器
２，２００，５００  携帯機器
１１，２１  撮像部
１２，２５  入力部
１３，２６  表示部
１４，２７  タッチパネル
１５，２８，１１０，２１０，  記録部
１６，２２  送受信部
１７，２３  音声入出力部
１８，１２０，４１０  通信機器制御部
２４  地磁気検出部
２９  通信部
３０，２２０，５１０  携帯制御部
１１１  文字情報記録部
１２１，２２１  文字変換部
１２２，１８３，２２２，３０３，４１２  設定部
１２３，２２３  文字判定部
１２４，１８５，２２４，３０５，４１４，５１４  送信制御部
１５１，２８１  設定情報記録部
１５２，２８２  コンテンツ情報記録部
１５３，２８３  信号化情報記録部
１８１，３０１  画像処理部
１８２，３０２  信号化部
１８４，３０４，４１３，５１３  パターン判定部
１８６，３０６  表示制御部
２１１  文字情報記録部
４０１，５０１  姿勢検出部
４０２，５０２  時計
４１１，５１１  タッチ位置判定部
Ｔ１  信号化情報テーブル
【図１】
0005993164.tif 000002
【図２】
0005993164.tif 000003
【図３】
0005993164.tif 000004
【図４】
0005993164.tif 000005
【図５】
0005993164.tif 000006
【図６】
0005993164.tif 000007
【図７】
0005993164.tif 000008
【図８】
0005993164.tif 000009
【図９】
0005993164.tif 000010
【図１０】
0005993164.tif 000011
【図１１】
0005993164.tif 000012
【図１２】
0005993164.tif 000013
【図１３】
0005993164.tif 000014
【図１４】
0005993164.tif 000015
【図１５】
0005993164.tif 000016
【図１６】
0005993164.tif 000017
【図１７】
0005993164.tif 000018